(57)【要約】【課題】塗布用ダイの先端部に設けられたスリット状の吐出口から塗布液を被塗布体に供給した後、清掃装置によってこの塗布用ダイの先端部に残留する塗布液を除去することが、長期にわたって短時間で簡単に行えるようにする。【解決手段】塗布用ダイ１０の先端部に塗布液２を被塗布体１に供給するスリット状になった吐出口１２が設けられると共に、塗布用ダイの先端部を清掃する清掃装置が設けられた塗布装置において、清掃装置として、少なくとも上記の塗布用ダイにおける吐出口の長さ方向全長にわたって接触する清掃用ブレード２０を、この吐出口の長さ方向に対して傾斜させて設け、この清掃用ブレードを塗布用ダイの先端部に接触させた状態で、塗布用ダイ及び／又は清掃用ブレードを移動させて塗布用ダイの先端部の清掃を行う。【選択図】　図４
2004097979.tif 000002
【特許請求の範囲】
【請求項１】
塗布用ダイの先端部に塗布液を被塗布体に供給するスリット状になった吐出口が設けられると共に、この塗布用ダイの先端部を清掃する清掃装置が設けられた塗布装置において、上記の清掃装置として、少なくとも上記の塗布用ダイにおける吐出口の長さ方向全長にわたって接触する清掃用ブレードを、上記の吐出口の長さ方向に対して傾斜させて設けたことを特徴とする塗布装置。
【請求項２】
請求項１に記載した塗布装置において、上記の清掃用ブレードを塗布用ダイの先端部に接触させた状態で、塗布用ダイ及び／又は清掃用ブレードを移動させて、この清掃用ブレードにより塗布用ダイの先端部を清掃することを特徴とする塗布用ダイの清掃方法。
【請求項３】
請求項２に記載した塗布用ダイの清掃方法において、上記の清掃用ブレードを塗布用ダイの先端部に接触させた状態で、塗布用ダイを移動させることを特徴とする塗布用ダイの清掃方法。
【発明の詳細な説明】
【０００１】
【発明の属する技術分野】
この発明は、ガラス，樹脂フィルム，金属箔等の様々な被塗布体に様々な塗布液を塗布するのに使用する塗布装置に係り、特に、塗布用ダイの先端部に塗布液を被塗布体に供給するスリット状になった吐出口が設けられると共に、この塗布用ダイの先端部を清掃する清掃装置が設けられた塗布装置において、塗布用ダイの先端部の清掃が長期にわたって短時間で簡単に行えるようにした点に特徴を有するものである。
【０００２】
【従来の技術】
従来より、プラズマディスプレーパネル，有機エレクトロルミネッセンスディスプレーパネル，液晶ディスプレーパネル等を製造するにあたって、塗布装置により、ガラス，樹脂フィルム，金属箔等の様々な被塗布体にそれぞれの塗布液を塗布することが行われている。
【０００３】
そして、このように塗布装置としては、一般に図１に示すようなものが用いられている。
【０００４】
ここで、このような塗布装置においては、被塗布体１に塗布液２を塗布するにあたり、吸引装置３を備えたテーブル４の上に被塗布体１を吸引装置３により吸引させて保持させるようにする。
【０００５】
そして、この被塗布体１の上において塗布用ダイ１０を所要間隔を介した位置にセットし、塗布液供給タンク５に収容された塗布液２を供給ポンプ６によりこの塗布用ダイ１０に設けられたマニホールド１１に供給し、この塗布液２をマニホールド１１から塗布用ダイ１０の先端部においてスリット状に設けられた吐出口１２に導くようにする。
【０００６】
次いで、この塗布用ダイ１０を上記の被塗布体１上において走行させながら、上記の吐出口１２から塗布液２を被塗布体１に供給して、被塗布体１上に塗布液２を所定の厚みになるように塗布させた後、上記の供給ポンプ６による塗布液２の供給を停止させ、この塗布用ダイ１０を上記の被塗布体１上から離すようにする。
【０００７】
しかし、このようにして被塗布体１上に塗布液２を塗布させた場合、上記の塗布用ダイ１０の先端部における吐出口１２の周辺に塗布液２が残留し、塗布液２を連続して塗布する場合に、上記のように塗布用ダイ１０の先端部に残留する塗布液２によって次の被塗布体１上に塗布液２を塗布した際に、筋状の塗布むらが発生するという問題がある。
【０００８】
そこで、従来においては、上記のように吐出口１２の周辺に残留する塗布液２を除去するために、様々な清掃装置を設けることが行われており、例えば、図２に示すように、上記の塗布用ダイ１０の先端部において、吐出口１２の長さ方向と直交する方向に清掃用ブレード７の先端部を接触させ、この清掃用ブレード７を走行装置８により上記の吐出口１２の長さ方向に沿って塗布用ダイ１０の全長にわたって走行させ、この清掃用ブレード７により吐出口１２の周辺に残留する塗布液２を塗布用ダイ１０から除去するようにしたものが用いられている（例えば、特許文献１参照。）。
【０００９】
しかし、上記のように清掃用ブレード７を走行装置８により吐出口１２の長さ方向に沿って塗布用ダイ１０の全長にわたって走行させるのには時間がかかり、吐出口１２の周辺に残留する塗布液２を除去する作業時間が長くなると共に、清掃用ブレード７の先端部の摩耗が激しくて、清掃用ブレード７を頻繁に取り換えなければならなくなり、被塗布体１に塗布液２を塗布する作業効率が大きく低下する等の問題があった。特に、図３に示すように、上記のテーブル４上に保持させた１枚の被塗布体１において、２つの部分１ａ，１ｂに塗布液２を塗布するにあたり、最初の部分１ａに塗布液２を塗布した後、上記のようにして吐出口１２の周辺に残留する塗布液２を除去するようにした場合、次の部分１ｂに塗布液２を塗布する迄の無駄な待機時間が長くなって、作業効率が非常に悪くなるという問題があった。
【００１０】
また、上記のようにして塗布用ダイ１０の先端部を清掃する場合、塗布用ダイ１０とは別に、上記の清掃用ブレード７を吐出口１２の長さ方向に沿って走行させる走行装置８が必要になって、装置が大型化したり、コストが高く付くという問題もあった。
【００１１】
【特許文献１】
特開平１１−１４７０６２号公報
【００１２】
【発明が解決しようとする課題】
この発明は、ガラス，樹脂フィルム，金属箔等の様々な被塗布体に様々な塗布液を塗布するのに使用する塗布装置における上記のような問題を解決することを課題とするものである。
【００１３】
すなわち、この発明においては、上記のように塗布用ダイの先端部にスリット状に設けられた吐出口から塗布液を被塗布体に供給した後、この塗布用ダイの先端部における吐出口の周辺に残留する塗布液を除去して、塗布用ダイの先端部を清掃するにあたり、塗布用ダイの先端部の清掃が長期にわたって短時間で簡単に行えるようにすることを課題とするものである。
【００１４】
【課題を解決するための手段】
この発明においては、上記のような課題を解決するため、塗布用ダイの先端部に塗布液を被塗布体に供給するスリット状になった吐出口が設けられると共に、この塗布用ダイの先端部を清掃する清掃装置が設けられた塗布装置において、上記の清掃装置として、少なくとも上記の塗布用ダイにおける吐出口の長さ方向全長にわたって接触する清掃用ブレードを、この吐出口の長さ方向に対して傾斜させて設けるようにしたのである。
【００１５】
そして、この発明においては、上記の塗布装置において、上記の塗布用ダイの先端部を上記の清掃用ブレードによって清掃するにあたり、上記の清掃用ブレードを塗布用ダイの先端部に接触させた状態で、塗布用ダイ及び／又は清掃用ブレードを移動させるようにしたのである。
【００１６】
このように、塗布用ダイにおける吐出口の長さ方向全長にわたって接触する清掃用ブレードをこの吐出口の長さ方向に対して傾斜させて設け、この清掃用ブレードを塗布用ダイの先端部に接触させた状態で、塗布用ダイ及び／又は清掃用ブレードを移動させると、塗布用ダイ及び／又は清掃用ブレードの移動に伴って、上記の清掃用ブレードと塗布用ダイの先端部との接触位置が吐出口の一端側から他端側に向けて順々に移動し、塗布用ダイが清掃用ブレードを越えた時点では、吐出口の長さ方向全長にわたって清掃用ブレードが塗布用ダイの先端部に接触し、塗布用ダイの先端部に残留する塗布液がこの清掃用ブレードによって除去されるようになる。
【００１７】
このため、塗布用ダイの先端部に残留する塗布液をこの清掃用ブレードによって短時間で簡単に除去できるようになると共に、上記のように清掃用ブレードと塗布用ダイの先端部との接触位置が吐出口の一端側から他端側に向けて順々に移動するため、清掃用ブレードの各位置における摩耗も少なくなり、清掃用ブレードを交換することなく、塗布用ダイの先端部を長期にわたって安定して清掃できるようになる。
【００１８】
さらに、清掃用ブレードを塗布用ダイの先端部に接触させた状態で、塗布用ダイを移動させるようにすると、清掃用ブレードを走行させる装置を別個に設ける必要がなく、装置が大型化してコストが高く付くということもなくなる。
【００１９】
【実施例】
以下、この発明の実施例に係る塗布装置及び塗布用ダイの清掃方法を添付図面に基づいて具体的に説明する。
【００２０】
この実施例における塗布装置においても、被塗布体１に塗布液２を塗布するにあたっては、前記の図１に示すように、吸引装置３を備えたテーブル４の上に被塗布体１を吸引装置３により吸引させて保持させるようにする。
【００２１】
次いで、この被塗布体１の上において塗布用ダイ１０を所要間隔を介した位置にセットし、塗布液供給タンク５に収容された塗布液２を供給ポンプ６によりこの塗布用ダイ１０に設けられたマニホールド１１に供給し、この塗布液２をマニホールド１１から塗布用ダイ１０の先端部においてスリット状に設けられた吐出口１２に導くようにする。
【００２２】
そして、この塗布用ダイ１０を上記の被塗布体１上において走行させながら、上記の吐出口１２から塗布液２を被塗布体１に供給して、被塗布体１上に塗布液２を所定の厚みになるように塗布させた後、上記の供給ポンプ６による塗布液２の供給を停止させ、この塗布用ダイ１０を上記の被塗布体１上から離すようにする。
【００２３】
ここで、この実施例における塗布装置においては、上記のように被塗布体１上に塗布液２を塗布させた後において、上記の塗布用ダイ１０の先端部における吐出口１２の周辺に残留する塗布液２を除去する清掃装置として、図４（Ａ），（Ｂ）に示すように、上記の塗布用ダイ１０における吐出口１２の長さ方向全長にわたって接触する清掃用ブレード２０を、吐出口１２の長さ方向に対して傾斜させて設けている。
【００２４】
そして、上記のように塗布用ダイ１０により被塗布体１上に塗布液２を塗布させた後、この塗布用ダイ１０の先端部における吐出口１２の周辺に残留する塗布液２をこの清掃用ブレード２０によって除去するにあたっては、塗布後における塗布用ダイ１０をこの清掃用ブレード２０の位置に導き、この塗布用ダイ１０のの長さ方向一端側の先端部を清掃用ブレード２０の長さ方向一端側の先端部に接触させ、この状態で、この塗布用ダイ１０を移動させて、清掃用ブレード２０を越えるようにする。
【００２５】
このように、塗布用ダイ１０の長さ方向一端側の先端部を清掃用ブレード２０の長さ方向一端側の先端部に接触させた状態で、清掃用ブレード２０を越えるように塗布用ダイ１０を移動させると、清掃用ブレード２０と塗布用ダイ１０の先端部との接触位置が吐出口１２の一端側から他端側に向けて順々に移動し、塗布用ダイ１０が清掃用ブレード２０を越えた時点では、吐出口１２の長さ方向全長にわたって清掃用ブレード２０が塗布用ダイ１０の先端部に接触し、塗布用ダイ１０の先端部における吐出口１２の長さ方向全長において残留している塗布液２がこの清掃用ブレード２０によって短時間で簡単に除去されるようになる。
【００２６】
また、上記のように清掃用ブレード２０と塗布用ダイ１０の先端部との接触位置が、吐出口１２の一端側から他端側に向けて順々に移動するため、清掃用ブレード２０の各位置における摩耗も少なくなり、清掃用ブレード２０を長い間交換する必要がなくなり、長期にわたって塗布用ダイ１０の先端部を安定して清掃できるようになる。
【００２７】
また、この実施例のように、清掃用ブレード２０を塗布用ダイ１０の先端部に接触させた状態で、塗布用ダイ１０を移動させるようにすると、清掃用ブレード２０を走行させるための装置を別個に設ける必要がなく、装置が大型化してコストが高く付くということもない。
【００２８】
なお、この実施例においては、塗布用ダイ１０の先端部における吐出口１２の周辺に残留する塗布液２を除去する清掃装置を設けるにあたり、上記のように塗布用ダイ１０における吐出口１２の長さ方向全長にわたって接触する清掃用ブレード２０を、吐出口１２の長さ方向に対して傾斜させて設けるようにしただけであるが、このような清掃装置とは別に他の清掃装置を設けることも可能である。例えば、図４に示すように、上記のような長い清掃用ブレード２０を用いた清掃装置と共に、吐出口１２の長さ方向と直交する方向に清掃用ブレード７の先端部を接触させ、この清掃用ブレード７を走行装置８により吐出口１２の長さ方向に沿って塗布用ダイ１０の全長にわたり走行させて、吐出口１２の周辺に残留する塗布液２を塗布用ダイ１０から除去する従来の清掃装置を設けることも可能である。
【００２９】
そして、このように２種類の清掃装置を設けた場合において、例えば、上記のテーブル４上に１枚の被塗布体１を保持させ、この１枚の被塗布体１の２つの部分１ａ，１ｂに対してそれぞれ塗布液２を塗布するにあたっては、最初の部分１ａに塗布液２を塗布した後、この実施例に示した長い清掃用ブレード２０を用いた清掃装置によって塗布用ダイ１０の先端部における吐出口１２の周辺に残留する塗布液２を短時間で除去させ、次の部分１ｂに塗布液２を塗布する迄の待機時間を短縮させるようにする。一方、被塗布体１の次の部分１ｂに塗布液２を塗布した後においては、被塗布体１をテーブル４上から移動させて、次の被塗布体１をテーブル４上にセットする迄に時間があるため、従来の清掃装置を用い、前記の清掃用ブレード７を吐出口１２の長さ方向に沿って塗布用ダイ１０の全長にわたり走行させて、吐出口１２の周辺に残留する塗布液２を塗布用ダイ１０から除去させるようにすることもできる。
【００３０】
【発明の効果】
以上詳述したように、この発明においては、塗布用ダイの先端部に塗布液を被塗布体に供給するスリット状になった吐出口が設けられると共に、この塗布用ダイの先端部を清掃する清掃装置が設けられた塗布装置において、上記の清掃装置として、少なくとも上記の塗布用ダイにおける吐出口の長さ方向全長にわたって接触する清掃用ブレードをこの吐出口の長さ方向に対して傾斜させて設け、塗布用ダイの先端部を上記の清掃用ブレードによって清掃するにあたり、上記の清掃用ブレードを塗布用ダイの先端部に接触させた状態で、塗布用ダイ及び／又は清掃用ブレードを移動させるようにしたため、清掃用ブレードと塗布用ダイの先端部との接触位置が吐出口の一端側から他端側に向けて順々に移動し、塗布用ダイが清掃用ブレードを越えた時点では、吐出口の長さ方向全長にわたって清掃用ブレードが塗布用ダイの先端部に接触して、塗布用ダイの先端部に残留する塗布液がこの清掃用ブレードによって除去されるようになった。
【００３１】
この結果、この発明においては、塗布用ダイの先端部に残留する塗布液をこの清掃用ブレードによって短時間で簡単に除去できるようになると共に、上記のように清掃用ブレードと塗布用ダイの先端部との接触位置が吐出口の一端側から他端側に向けて順々に移動するため、清掃用ブレードの各位置における摩耗も少なくなり、清掃用ブレードを交換することなく、長期にわたって塗布用ダイの先端部を清掃できるようになった。
【００３２】
さらに、この発明において、上記の清掃用ブレードを塗布用ダイの先端部に接触させた状態で塗布用ダイを移動させるようにすると、清掃用ブレードを走行させる装置を別個に設ける必要がなく、装置が大型化してコストが高く付くということもなくなった。
【図面の簡単な説明】
【図１】従来の塗布装置及びこの発明の実施例における塗布装置において、テーブル上に保持された被塗布体に塗布液を塗布する状態を示した概略説明図である。
【図２】従来の塗布装置において、被塗布体上に塗布液を塗布させた後における塗布用ダイの先端部に残留している塗布液を清掃装置によって除去する状態を示した概略説明図である。
【図３】従来の塗布装置において、テーブル上に保持された被塗布体の２つの部分に塗布液を塗布する状態を示した概略説明図である。
【図４】この発明の実施例における塗布装置において、被塗布体上に塗布液を塗布させた後における塗布用ダイの先端部に残留している塗布液を清掃装置によって除去する状態を示した概略説明図である。
【図５】この発明の実施例における塗布装置において、図４に示した清掃装置の他に、従来の塗布装置に用いた清掃装置を設けると共に、テーブル上に保持された被塗布体の２つの部分に塗布液を塗布する状態を示した概略説明図である。
【符号の説明】
１　被塗布体
１ａ，１ｂ　塗布部分
２　塗布液
１０　塗布用ダイ
１２　吐出口
２０　清掃用ブレード
【図１】
2004097979.tif 000003
【図２】
2004097979.tif 000004
【図３】
2004097979.tif 000005
【図４】
2004097979.tif 000006
【図５】
2004097979.tif 000007